【事件の表示】
　上記当事者間の登録第４８０１１２１号商標の商標登録無効審判事件について、次のとおり審決する。
【結　論】
　登録第４８０１１２１号に係る指定商品及び指定役務中の第９類「暗算に関するコンピュータプログラム，暗算に関する携帯用液晶画面ゲームおもちゃ用のプログラムを記憶させた電子回路及びＣＤ−ＲＯＭ」及び第４１類「そろばんの教授，珠算競技会の企画・運営又は開催」についての登録を無効とする。
　その余の指定商品及び指定役務についての審判請求は成り立たない。
　審判費用は、その２分の１を請求人の負担とし、２分の１を被請求人の負担とする。
【理　由】
第１　本件商標
　本件登録第４８０１１２１号商標（以下、「本件商標」という。）は、「フラッシュ暗算」の文字を標準文字としてなり、平成１５年７月１日に登録出願、第９類「電子応用機械器具及びその部品，耳栓，加工ガラス（建築用のものを除く。），アーク溶接機，金属溶断機，電気溶接装置，オゾン発生器，電解槽，検卵器，金銭登録機，硬貨の計数用又は選別用の機械，作業記録機，写真複写機，手動計算機，製図用又は図案用の機械器具，タイムスタンプ，タイムレコーダー，パンチカードシステム機械，票数計算機，ビリングマシン，郵便切手のはり付けチェック装置，自動販売機，ガソリンステーション用装置，駐車場用硬貨作動式ゲート，救命用具，消火器，消火栓，消火ホース用ノズル，スプリンクラー消火装置，火災報知機，ガス漏れ警報器，盗難警報器，保安用ヘルメット，鉄道用信号機，乗物の故障の警告用の三角標識，発光式又は機械式の道路標識，潜水用機械器具，業務用テレビゲーム機，電動式扉自動開閉装置，乗物運転技能訓練用シミュレーター，運動技能訓練用シミュレーター，理化学機械器具，写真機械器具，映画機械器具，光学機械器具，測定機械器具，配電用又は制御用の機械器具，回転変流機，調相機，電池，電気磁気測定器，電線及びケーブル，電気アイロン，電気式ヘアカーラー，電気ブザー，電気通信機械器具，磁心，抵抗線，電極，消防艇，ロケット，消防車，自動車用シガーライター，事故防護用手袋，防じんマスク，防毒マスク，溶接マスク，防火被服，眼鏡，家庭用テレビゲームおもちゃ，携帯用液晶画面ゲームおもちゃ用のプログラムを記憶させた電子回路及びＣＤ−ＲＯＭ，スロットマシン，ウエイトベルト，ウエットスーツ，浮袋，運動用保護ヘルメット，エアタンク，水泳用浮き板，レギュレーター，レコード，メトロノーム，電子楽器用自動演奏プログラムを記憶させた電子回路及びＣＤ−ＲＯＭ，計算尺，映写フィルム，スライドフィルム，スライドフィルム用マウント，録画済みビデオディスク及びビデオテープ」及び第４１類「技芸又はスポーツの教授，当せん金付証票の発売，献体に関する情報の提供，献体の手配，研究用教材に関する情報の提供及びその仲介，動物の調教，植物の供覧，動物の供覧，記録の供覧，美術品の展示，庭園の供覧，洞窟の供覧，映画・演芸・演劇又は音楽の演奏の興行の企画又は運営，映画の上映・制作又は配給，演芸の上演，演劇の演出又は上演，音楽の演奏，放送番組の制作，教育・文化・娯楽・スポーツ用ビデオの制作（映画・放送番組・広告用のものを除く。），放送番組の制作における演出，映像機器・音声機器等の機器であって放送番組の制作のために使用されるものの操作，ゴルフの興行の企画・運営又は開催，相撲の興行の企画・運営又は開催，ボクシングの興行の企画・運営又は開催，野球の興行の企画・運営又は開催，サッカーの興行の企画・運営又は開催，興行の企画・運営又は開催（映画・演芸・演劇・音楽の演奏の興行及びスポーツ・競馬・競輪・競艇・小型自動車競走の興行に関するものを除く。），競馬の企画・運営又は開催，競輪の企画・運営又は開催，競艇の企画・運営又は開催，小型自動車競走の企画・運営又は開催，音響用又は映像用のスタジオの提供，運動施設の提供，娯楽施設の提供，映画・演芸・演劇・音楽又は教育研修のための施設の提供，興行場の座席の手配，映画機械器具の貸与，映写フィルムの貸与，楽器の貸与，運動用具の貸与，テレビジョン受信機の貸与，ラジオ受信機の貸与，音声周波機械器具・映像周波機械器具の貸与，レコード又は録音済み磁気テープの貸与，録画済み磁気テープの貸与，ネガフィルムの貸与，ポジフィルムの貸与，おもちゃの貸与，遊園地用機械器具の貸与，遊戯用器具の貸与，書画の貸与，写真の撮影，通訳，翻訳，カメラの貸与，光学機械器具の貸与，美術用モデルの提供，ニュースレポーターによる取材・報告」を指定商品・指定役務として、同１６年９月１０日に設定登録されたものである。
　　
第２　請求人の主張
　請求人は、本件商標の登録を無効とする、審判費用は被請求人の負担とするとの審決を求め、その理由及び答弁に対する弁駁を次のように述べ、証拠方法として甲第１号証ないし同第４９号証及び甲第５４号証ないし同第５８を提出した。
１　請求の理由
（１）本件商標登録を無効とすべき理由
ア　請求の理由（Ａ）
　本件商標は、商標法第３条第１項第６号に該当するものである。
（ア）「フラッシュ暗算」という言葉について
　「フラッシュ暗算」は、珠算式暗算の練習のために開発された方法であって、スクリーンあるいはコンピュータの表示画面に順次表示された数字を合計して答える暗算訓練方法をいう。フラッシュ暗算は、かつては「コンピュータ暗算」と称されていた。コンピュータの画面にコンピュータプログラムにより順次数字を出力させ、その数字を珠算式暗算を用いて合計させることによって暗算力を訓練するという方法によるので、「コンピュータ暗算」と称したものと思われる。宮本裕史氏は、このコンピュータ暗算を実施するためのコンピュータプログラム開発の創始者であり、コンピュータ暗算を含むコンピュータソフトウェア「あんざん力開発システム」を開発した。この「あんざん力開発システム」は昭和５５年に商品化され、平成５年にプログラムの著作権について、財団法人ソフトウェア情報センター（ＳＯＦＴＩＣ）に登録番号（Ｐ第３６８５号−１）として登録された（甲第５号証）。なお、このソフトウェアの開発の詳細については、日本フラッシュ暗算協会が提供する「フラッシュ暗算　公式サイト」（ｗｗｗ．ｆｌａｓｈ−ａｎｚａｎ．ｃｏｍ）に掲載されている（甲第６号証）。
　一方、請求人は、昭和２８年に設立後、一貫して珠算教材の製造・販売や珠算教育器具の販売を行なってきたが、宮本裕史氏によるコンピュータソフトウエアの開発に当初から関わり、「あんざん力開発システム」の商品化及びその後継商品について一貫して販売を担当してきた。それを示す例として、平成９年１２月に掲載された「あんざん力開発システム」の広告を提出する（甲第７号証）。この「あんざん力開発システム」は、日本全国の珠算教室が導入する教育用プログラムとして販売されていた。
　ところで、「コンピュータ暗算」は、いつの頃からか「フラッシュ暗算」と呼ばれるようになってきた。誰が「フラッシュ暗算」という言葉を使い始めたかについて、今回の無効審判請求に際し、創始者である宮本裕史氏が調査したところでは、１９８８年頃、まだインターネットではなくパソコン通信でコメントがやり取りされていた時代に、名村広志氏がアバカスネットワークという名称の会議室を運営しており、その会議室には名村氏の承認を受けたそろばんの先生だけが参加できることになっていたが、その会議室でフラッシュ式に出題される計算方法を何という名前にしたら分り易いかという話題が持ち上がり、名村広志氏と平沢行雄氏とで「フラッシュ暗算」の名称に決めたことが過去ログに残っているということであった。その時点で、その会議室に参加できるそろばんの先生は１０００人を超えていたということなので、会議室でその話題が交わされた時点で相当な数のそろばんの先生が「フラッシュ暗算」の名称を知ったことになり、その先生が自分の生徒にその名称を伝えたりすれば、珠算界では「フラッシュ暗算」の名称は相当の数の先生や生徒が知っていたことになる。いずれにせよ、画面にフラッシュ式に表示される数字を暗算で合計するという意味では、「コンピュータ暗算」という呼び方より「フラッシュ暗算」の方がその性質を一層わかりやすく的確に表現していることもあってか、平成１２年頃には、「フラッシュ暗算」という呼び方が珠算界において相当広まってきたので、平成１２年１２月２４日に開催された全国珠算競技会（主催・浦和珠算連盟、共催：浦和商工会議所）において、主催者と宮本裕史氏が話し合った結果、従来の競技種目の名称としての「コンピュータ暗算」を「フラッシュ暗算」に変更した（甲第８号証）。これが、最初に「フラッシュ暗算」が正式に競技種目の名称として使用された競技会であるが、このように全国的な規模の珠算競技会においてこの名称が使用されたのは、すでに全国的にこの「フラッシュ暗算」の名称がかなり浸透していたことの現れであり、この全国競技会で使用されたことにより、さらにその名称が広範に知られるきっかけとなるものであった。また、以後の珠算競技会での名称は「フラッシュ暗算」が使用されるようになり、珠算競技会に参加する参加者、その家族、友人、珠算教室の関係者等を介して、より広く知られるようになった。また、珠算競技会を報道するテレビニュースや新聞等で「フラッシュ暗算」競技が取り上げられることにより、一般の人々にもその名称が知られるようになった。
（イ）検定試験における「フラッシュ暗算」の使用について
　請求人は、宮本裕史氏の開発した「あんざん力開発システム」の販売を行なうと共に、平成５年頃から日本コンピュータ暗算検定協会の名の下に宮本裕史氏が開発した検定用ソフトウェアを使用してコンピュータ暗算検定試験を主催し、合格者にライセンスカードを発行していたが、「フラッシュ暗算」の名称使用の広がりを受け、平成１４年１月に「日本コンピュータ暗算検定協会」の名称を「日本フラッシュ暗算協会」に改称した（甲第９号証）。この証明書のオリジナルは、商標登録第４７６２８２１号「日本フラッシュ暗算検定協会」（甲第４号証）の審査中に手続補足書で提出されたものである。
　また、請求人は、宮本裕史氏が開発したフラッシュ暗算の検定用ソフトウェアを、平成１４年６月から「フラッシュ暗算　個人検定用ソフト」の名称の下に全国の珠算教室向けに販売を開始し、さらに同年１０月から生徒の自宅練習用ソフトとして「フラッシュ暗算パーソナル」の販売も開始した（甲第１０号証）。なお、請求人が商標「日本フラッシュ暗算検定協会」を特許庁に出願した平成１４年７月１９日（甲第４号証）の時点で、「フラッシュ暗算」はすでにスクリーンあるいはコンピュータの表示画面に順次表示された数字を合計して答える暗算訓練方法の名称として一般的に使用され、検定試験や競技会での競技種目の正式名称及びソフトウェアの名称として広く使用されていたので、請求人は「フラッシュ暗算」を商標として登録する意思は全くなく、また、「フラッシュ暗算」という語句が商標として登録されるはずもないと認識していた。
（ウ）テレビ放映による「フラッシュ暗算」の一般の人々への浸透
　「フラッシュ暗算」という言葉が比較的短い期間の間に広く全国的に知られるようになったのは、テレビ放映が大きく影響している。平成１３年１１月から平成１４年３月にかけて、フジテレビのゴールデンタイムに放送された番組「１００％キャイーン」において、「フラッシュ暗算」のタイトルのコーナーが設けられ、珠算教室の生徒や芸能人が毎回フラッシュ暗算に挑戦する場面が放送された。番組の中では、番組主催で全国大会が２回行なわれたが、特に最終回に行なわれた大会は、池袋サンシャインホールを貸し切り、全国から５００名以上の選手が集まった。この大会の予選から決勝までが一時間以上に亘って放映されたことで「フラッシュ暗算」の名称は、決定的に全国に広がった。
　甲第１号証として提出するのは、その最終回の放送の録画である。甲第１１号証及び同第１２号証は、フジテレビの提供するウェブサイトに掲載されている平成１３年１２月５日放送及び平成１３年１２月２６日放送の「１００％キャイーン」の放送内容を記載したウェブページのプリントアウトである。
　その後、さらに「フラッシュ暗算」に関するニュースや番組が、ＮＨＫや民放各局で紹介されるようになった。甲第２号証は、平成１５年５月６日に日本テレビで収録されその後放送された世界仰天ニュースの中で「フラッシュ暗算」が紹介された場面を録画したものである。また、日本テレビ放送の番組「ワールドレコーズ」では、平成１６年６月２７日放送分で「フラッシュ暗算の笹野さんに匹敵するスゴ腕の持ち主現る！」（甲第１３号証）、平成１６年９月５日放送分でエキシビジョンマッチ「カラオケ２画面フラッシュ暗算対決」（甲第１４号証）、平成１６年１０月１０日放送分で「ハイスピード暗算世界一決定戦」（甲第１５号証）と、少なくとも３回フラッシュ暗算をテーマに取り上げている。
　以上に述べたように、「フラッシュ暗算」がテレビ番組で取り上げられたということは、それまでは主として珠算界で知られていた「フラッシュ暗算」が一気に一般のテレビの視聴者に広まったことを意味する。「フラッシュ暗算」はフラッシュ的に次々に画面に表示される数字を暗算で合計していくので、その方法自体は非常にわかりやすく、視聴者もテレビ画面を観ながらゲーム感覚でフラッシュ暗算を自分でも体験出来るとともに、次々に正解を出す回答者の腕前がいかに優れているかを実感できる。このような視覚的な印象効果が高いフラッシュ暗算は、テレビの放映に非常に適しており、テレビ局も好んで取り上げたものと考えられる。そして、一度でも「フラッシュ暗算」についての放映を目にした視聴者には、この「フラッシュ暗算」が二度と忘れない程強く印象づけられることは、甲第１号証及び甲第２号証を検証すれば誰にでも明らかである。
　なお、「フラッシュ暗算」は、本件商標の出願前に、各種団体が開催する珠算競技会や検定試験の正式種目として採用されているので、（今となっては証明を行なうのは困難なのであるが）これらの競技会の様子や結果について特に地方局のテレビニュースで度々放映されており、それは各新聞に競技会での「フラッシュ暗算」についての記事が掲載される頻度と少なくとも同程度以上には放送されたものと考えられる。したがって、上記したテレビ番組を視聴していなくとも、テレビニュースから「フラッシュ暗算」を知った者も多いと考えられる。
（エ）新聞等における「フラッシュ暗算」についての記事の掲載
　請求人は、「フラッシュ暗算」の語句の新聞・雑誌等の掲載について、ポータルサイト＠ｎｉｆｔｙ（ｗｗｗ．ｎｉｆｔｙ．ｃｏｍ）で提供されている新聞・雑誌記事横断検索／Ｇ−Ｓｅａｒｃｈで「フラッシュ暗算」をキーワードとして検索を行なった。
　その結果、本件商標の出願前である、平成８年１月１日から平成１５年６月３０日までの期間に、３９件のヒットがあった（甲第１６号証）。
　また、これらの記事が掲載された新聞のコピーを、入手可能な限り収集し、提出する（甲第１７号証ないし同第３９号証）。
　ヒットした記事の中で、最も日付が古いのは、平成１３年１１月１１日付毎日新聞地方版（山梨）の記事で、その内容は甲府市で、日本珠算連盟県支部主催で、「フラッシュ暗算」の競技が開かれたというものである。この時期は丁度フジテレビで放送された番組「１００％キャイーン」において、「フラッシュ暗算」のコーナーが開始された時期と重なる。
　ヒットした記事３９件の内容を分析すると、テレビ番組「１００％キャイーン」に関する記事が１件（甲１７号証）、様々なフェスティバルや大会などのイベントにおいて「フラッシュ暗算」の体験コーナーやデモが行なわれたことを記載した記事が１３件（甲第１８号証など）、日本珠算連盟や各地の珠算連盟等が開催する珠算の競技会・コンクール・コンテスト等で正式種目として行われた「フラッシュ暗算」について記載した記事が７件（甲第１９号証など）、「フラッシュ暗算」を対象とした競技会の開催についての記事が７件（甲第２６号証など）、読売・日本テレビ文化センターでの「子供のためのフラッシュ暗算」の講座開催のお知らせが４件（甲第２９号証など）、インタビューその他一般的な記事で「フラッシュ暗算」の話題が登場する記事が７件（甲第３０号証など）となっている。
　例えば、甲第３７号証や甲第３８号証で示す記事は、生活欄でかなり広い紙面のスペースを設けて、「フラッシュ暗算」についての話題を記載しており、このような記事から「フラッシュ暗算」についての知識を得る読者も多数あったことは十分考えられる。また、「子供のためのフラッシュ暗算」の講座の受講生の募集が４回掲載されたのは、「フラッシュ暗算」の講座を開講して受講生を集めることができるほどに、すでに「フラッシュ暗算」の名称及びその内容がかなり小学生やその親達に浸透していたことの現れだと考えられる。
　一方、大多数の記事は、イベントや競技会での「フラッシュ暗算」のデモや競技の実施について記載されているもので、それ自体は紙面上のスペースも小さいものも多く、記事自体が「フラッシュ暗算」を周知させる媒体として大きく貢献したとはいえないかもしれない。しかし、これらの記事は、多くのイベントや競技会等において「フラッシュ暗算」が行われたことについての確実な証明となるものである。これらのイベントや競技会での参加者（それぞれ何百人の単位で参加しているものが多い）、その家族や友人、たまたま見学をした者、所属している珠算塾の仲間などを通して、より「フラッシュ暗算」が浸透していったことは明らかである。また、これらのイベントや競技会が日本全国の様々な地域において開催されたことは特筆すべきことであって、「フラッシュ暗算」が全国的に浸透していったことを示している。
　さらに、新聞・雑誌記事横断検索／Ｇ−Ｓｅａｒｃｈにより、「フラッシュ暗算」をキーワードとして、本件商標の出願後登録査定前までの、平成１５年７月１日から平成１６年７月１３日までの期間の検索を行なった結果、２９件のヒットがあった。上に述べた最初の検索では、約２年半の間に３９件のヒットが在ったのにくらべ、この２９件のヒットは約一年間の期間を対象としているので、新聞への掲載の頻度もより高まっていることがわかる。その２９件の検索結果及び各記事の内容のプリントアウトを、甲第４０号証として提出する。
　ヒットした記事２９件の内容を分析すると、様々なフェスティバルや大会などのイベントにおいて「フラッシュ暗算」の体験コーナーやデモが行なわれたことを記載した記事が１２件（平成１５年７月６日付北国新聞記事他１１件）、日本珠算連盟や各地の珠算連盟等が開催する珠算の競技会・コンクール・コンテスト等で正式種目として行われた『フラッシュ暗算」について記載した記事が１０件（平成１５年７月２３日付静岡新聞記事他９件）、「フラッシュ暗算」を対象とした競技会の開催についての記事が４件（平成１５年８月２８日付読売新聞記事他３件）、インタビューその他一般的な記事で「フラッシュ暗算」の話題が登場する記事が３件（平成１６年１月２１日付愛媛新聞記事他１件）となっている。
　なお、新聞・雑誌記事横断検索／Ｇ−Ｓｅａｒｃｈの検索対象となっていない日経流通新聞でも、平成１４年７月１１日付の囲み記事で「フラッシュ暗算」について解説を行なっている（甲第４１号証）。この記事では、特に「フラッシュ暗算」のゲーム性に着目しているが、まさにこのゲーム性により珠算に興味のない人であっても「フラッシュ暗算」に引きつけられ、又チャレンジしようという気を起させるものであり、そのために「フラッシュ暗算」に特化した競技会が数多く開催されたり、イベントで数多く取り上げられることになり、もともとは珠算式暗算の練習のために開発された方法であったものの、「フラッシュ暗算」が一般の人々に一層浸透する要因となったものである。
（オ）結論
　「フラッシュ暗算」は、スクリーンあるいはコンピュータの表示画面に短い間隔で次々に映し出される数字を合計して答える暗算方法を表す言葉として、本件商標の登録査定時までにすでに日本全国において広く知られていたことは、請求人の主張及び提出する証拠から明らかである。
　「フラッシュ暗算」は、このように暗算方法を表す言葉として用いられてきたものであり、本来商品や役務の名称でもなく、商品や役務の品質や質を直接表示する言葉でもない。
　なお、本件商標の指定商品に含まれるコンピュータプログラムの広告や、家庭用テレビゲーム機用プログラムや携帯用液晶画面ゲームおもちゃ用プログラムの広告に、「フラッシュ暗算」の語句が用いられており（甲第４２号証、甲第４３号証、甲第４４号証）、これらのプログラムにおいて「フラッシュ暗算」の練習が出来ることを意味している場合に、商品の品質を表示していると解釈出来ないわけではない。しかし、これらの商品にいくら「フラッシュ暗算」を用いたからといって、あくまでも暗算方法を示す言葉に他ならず、使用によって識別力が生じる商標とは到底いうことはできない。
　したがって、本件商標は、需要者が何人かの業務に係る商品又は役務であることを認識することができない商標である。
　よって、本件商標は、商標法第３条第１項第６号に該当する。
イ　請求の理由（Ｂ）
　本件商標は、商標法第３条第１項第３号または同法第４条第１項第１６号に該当する。
　ア（ア）の項で説明したとおり、「フラッシュ暗算」は、スクリーンあるいはコンピュータの表示画面に短い間隔で次々に映し出される数字を合計して答える暗算方法を表す言葉として、本件商標の登録査定時までにすでに日本全国において広く知られていたものである。
　したがって、この「フラッシュ暗算」の言葉と同一の本件商標は、仮に商標法第３条第１号第６号に該当しないとしても、「スクリーンあるいはコンピュータの表示画面に短い間隔で次々に映し出される数字を合計して答える暗算方法」すなわち「フラッシュ暗算」を効能・用途などとする「フラッシュ暗算」に関連する指定商品または指定役務に使用する場合には、商標法第３条第１項第３号に該当し、それ以外の指定商品または指定役務に使用する場合には「フラッシュ暗算」に関連する商品あるいは役務であるとの誤認を生ずるおそれがあるので商標法第４条第１項第１６号に該当する。
ウ　請求の理由（Ｃ）
　本件商標は、商標登録がされた後に、商標法第４条第１項第７号に該当するに至ったものである。
　「フラッシュ暗算」は、スクリーンあるいはコンピュータの表示画面に短い間隔で次々に映し出される数字を合計して答える暗算方法を表す言葉として、本件商標の登録査定時までにすでに日本全国において広く知られていたにもかかわらず、登録されてしまった。一方、フラッシュ暗算に対する注目度の高さや、フラッシュ暗算を取り入れる珠算教室の増加、フラッシュ暗算の競技会や検定試験の実施、マスコミによる掲載等は、その後も変ることはない。
　例えば、本件商標の登録査定以後の平成１６年７月１５日から平成１９年５月１５日までの期間を対象として、新聞・雑誌記事横断検索／Ｇ−Ｓｅａｒｃｈにより、「フラッシュ暗算」をキーワードとして検索を行なった結果、１４７件のヒットがあった（甲第４５号証）。なお、要請があれば、記事の内容については直ちに提出することが可能である。
　また、パーソナルコンピュータや家庭用ゲーム機でフラッシュ暗算の訓練を行なうためのソフトウェアも複数登場している（甲第４２号証、甲第４３号証、甲第４４号証）。さらに宮本裕史氏が開発したフラッシュ暗算のソフトウェアは、社団法人全国珠算教育連盟、日本珠算連盟、日本フラッシュ暗算検定協会、社団法人全国珠算学校連盟、浦和珠算連盟、等の公式の検定ソフトや競技会用ソフトに採用されている（甲第６号証）。最近では、多くのビジネスマンが愛読する週刊東洋経済のトップ記事としてフラッシュ暗算に関する事件が掲載され（甲第４６号証）、読売新聞の読者に毎月配布される月刊読売ライフでもフラッシュ暗算が大きく取り上げられている（甲第４７号証）。
　以上述べたように、「フラッシュ暗算」は、スクリーンあるいはコンピュータの表示画面に短い間隔で次々に映し出される数字を合計して答える暗算方法を表す言葉として、ごく日常的に、ソフトウェアの機能の表示、新聞や雑誌の記事、珠算教室・検定試験・競技大会の場、等で使用されている。
　一旦商標が登録されてしまうと、その権利が顕在化することは登録制度が採用されている以上必然であり、一般の人々が強い警戒感を抱くことは間違いない。まして、商標法第２６条による商標権の効力が及ばない範囲を説明したとしても、この第２６条に基づく主張は、訴訟等の場で初めて主張が判断されるものであり、もともと争いに巻き込まれたくない者にとっては相手方が商標権を取得したと知っただけでともかく争いを避けるために当該登録商標の使用を避けたくなるのが事実である。
　こうしたことから、珠算業界ではすでに混乱が生じている。例えば、検定試験を実施している団体では、フラッシュ暗算の名称を他の名称に変更することを考え、あるいはフラッシュ暗算検定用のソフトウェアを、被請求人が本件商標の登録を有しているがために、被請求人の製造販売するソフトウェアに変更するといった事態が事実起こってきている。
　したがって、「フラッシュ暗算」の言葉の使用は広く開放されるべきであって、このような言葉と同一の商標に登録が付与されることによって生じた、誤った認識に基づく無用の混乱のさらなる拡大を防止するために、本件商標は、商標登録がされた後に、商標法第４条第１項第７号に該当するに至ったものであるから、同法第４６条第１項第５号の規定によって無効にされるべきものである。
　なお、被請求人が、本件商標に対する無効審判事件（無効２００５一８９０４５号。以下「先の無効審判」という。）の答弁書において述べた主張からすると、被請求人が「フラッシュ暗算」を商標として最先に使用し、被請求人による商標使用の努力によって「フラッシュ暗算」が普及されたかのようにみることができる。
　しかし、これが事実に基づく主張ではないことを示すために、請求人は、珠算界唯一の月刊情報誌である高柳和之氏発行の「サンライズ」誌の創刊号から平成１５年１２月１日（通巻８１号）にかけて掲載された被請求人による広告を甲第４８号証として提出する。甲第４８号証から明らかなように、被請求人の広告では、商標「そろもん」の使用や「暗算教育ソフト」の文字は見られても「フラッシュ暗算」の商標としての使用はどこにも見ることはできない。甲第４８号証中、平成１４年３月１日発行「サンライズ」第６０号の広告では、「今、話題の『１００％キャイーン』の番組で取り上げられている、暗算大会は、パソコンのモニターに数字を点滅させ、その点滅させた問題を暗算で計算します。この練習は、そろもんのスパカルでもできます。」との記載がある。もし、被請求人が商標「フラッシュ暗算」の使用を自ら開始し、普及に務めていたのであれば、この広告で商標としての「フラッシュ暗算」の使用をしていないはずはない。
　さらに、甲第４９号証として、被請求人が製造販売する暗算能力開発用ソフトウェア「そろもん」のホームページのプリントアウトを提出する。甲第４９号証から明らかなように、被請求人はこのホームページで「フラッシュ暗算」の言葉を数多く使用しているが、それは「フラッシュ暗算大会」、「フラッシュ暗算にチャレンジ」、「かけフラッシュ暗算、わりフラッシュ暗算にチャレンジしましょう」、「フラッシュ暗算ＣＤ」、「フラッシュ暗算練習ソフト」のように使用しており、被請求人が「フラッシュ暗算」を商標として使用しているのではなく、スクリーンやコンピュータのモニターに数字を点滅させその点滅させた問題を暗算で計算する、といった意味合いで使用しているのは明らかである。請求人は、被請求人が「フラッシュ暗算」を商標として使用している証拠を探したが、そのような証拠を見出すことはできなかった。
　被請求人自ら「フラッシュ暗算」をソフトウェアの機能あるいは用途を表す言葉としてしか使用していないにもかかわらず、本件商標の登録に基づく権利行使を認めるのは、今まで平穏に「フラッシュ暗算」の用語を使用してきた多くの珠算教育関係者や珠算検定の実施者等の間に大きな困惑や混乱を生じさせ、許されるものではない。そして、本件商標の登録が有効である限り、このような困惑や混乱に対するおそれが解消されることはない。
　したがって、本件商標は、商標法第４条第１項第７号に該当するに至ったものである。
　
２　弁駁
（１）商標法第３条第１項第６号に関する反論について
　「フラッシュ暗算」は、スクリーンあるいはコンピュータの表示画面に短い間隔で次々に映し出される数字を合計して答える暗算方法を表す言葉として、本件商標の登録査定時までにすでに日本全国において広く知られ、少なくとも珠算界において、このような暗算方法を表す言葉として広く用いられてきたことは事実である。
　そして、「フラッシュ暗算」が、本来商品や役務の名称でもなく、商品や役務の品質や質を直接表示する言葉でないことも事実である。そのため、「フラッシュ暗算」を指定商品あるいは指定役務に使用したところで、誰もそれをもはや識別標識とは認識し得ないものであったということである。
　請求人はこの事実を示すために、甲第１号証ないし同第４９号証を提出した。これらの証拠は、「フラッシュ暗算」が業界において指定商品・役務の内容を表示する語として普通に使用されていることを証明するために提出したものではなく、「フラッシュ暗算」が、競技会の種目名として、あるいは珠算教室で指導される暗算方法の名称として、テレビ番組や新聞・雑誌記事において暗算方法の名称として、広く使用され、広く知られていた事実を証明するためである。
　商標法第３条第１項各号においては、第１号から第５号で自他商品又は役務の識別力のない具体的な標章をいわば例示的に掲げており、それ以外で自他商品または役務の識別力のないものを第６号に該当することとしているものである。
　したがって、「商標」として、指定商品あるいは指定役務を指定して出願された標章であっても、本来あるいは登録査定・審決時においてもはや自他商品あるいは役務の識別機能を発揮し得ない標章は、第１号から第５号に該当しないものであっても第６号により登録を拒絶するものである。
　被請求人は、「フラッシュ」の語が指定商品・役務との関係で商標法第３条第１項第１号ないし第５号のいずれかに該当し、「暗算」の語もまた、「フラッシュ」の語が該当しない同第３条第１項第１号ないし第５号のいずれかに、指定商品・役務との関係で該当している場合に、商標全体として識別力がないと判断されて、商標法第３条第１項第６号に該当することになるものと考えられると主張しているが、このように狭く解釈する必要はない。
　例えば、地模様（例えば、模様的なものの連続反復するもの）のみからなるもの、標語（例えば、キャッチフレーズ）、現元号をあらわす「平成」の文字等が、商標審査基準において第３条第１項第６号に該当するとされているのも、これらの標章が例え商品あるいは役務を識別するために用いられたとしても全体として誰もこれらを識別標識として認識し得ないからである。
　同様に、「フラッシュ暗算」の語も、この語句全体として、珠算式暗練習のために開発された方法であってスクリーンあるいはコンピュータの表示画面に順次表示された数字を合計して答える暗算訓練方法を意味するものとして、広く用いられ知られていたため、もはや識別標識として使用したとしても全く識別標識として機能しないために第３条第１項第６号に該当する旨を請求人は主張している。
　なお、被請求人は、先の無効審判の審決（乙第１号証）を引用し、当該審決において「フラッシュ暗算」の語を特定の意味合いを認識させることのない一種の造語からなるものというのが相当と判断されていると主張しているが、当該審決は、先の無効審判において、請求人が主張した内容及び提出した証拠とそれに対する答弁に基づいて出されたものである。本件における請求人の主張及び提出した証拠は、前回提出したものと全く異なる。
　被請求人は、「フラッシュ暗算」は特定の観念を生じない造語と考えられ、請求人が提出した証拠によっても、暗記方法の内容を表示する用語として、普通に理解できたり、親しまれた語であったり、用語として通用しているとは言い難いと主張しているが、甲第１号証ないし同第４９号証に示されるように、数多くのイベントや珠算競技会での「フラッシュ暗算」競技の実施や、毎年の検定試験の実施等により、検定試験や珠算競技会に参加する参加者、その家族、友人、全国の珠算教室の関係者で「フラッシュ暗算」の内容を知らない者はいない。また、「フラッシュ暗算」を取り上げたテレビ番組の放映を一度でも観た者には、「フラッシュ暗算」の内容が強く印象付けられるのは甲第１号証及び同第２号証を検証してみれば明らかである。
　「フラッシュ暗算」は確かに造語であるが、そもそも商標として採択された語句ではなく、コンピュータ暗算に代わる名称として提唱されたものであり、請求人が知る限りでは、１９８８年頃、名村広志氏と平沢行雄氏が、電子会議室で取り交わされた話題をきっかけとして「フラッシュ暗算」の名称を採択したことは、審判請求書において説明した。被請求人が、「フラッシュ暗算」の名称を暗算の名称として初めて提唱したことを窺わせるものはなく、また、被請求人が当初から「フラッシュ暗算」を商標として採択し、出所を表示する商標として使用してきたことを窺わせる証拠も提出されていない。
　本件商標の出願時の状況を考慮すると、テレビ番組で約半年間続き最終回の全国大会でクライマックスに達したフラッシュ暗算競技のコーナーの放映が終了した後であり、それまでは主に珠算界で知られていた「フラッシュ暗算」に対する一般大衆やマスコミの注目度がかなり高まっていた時期である。そして、この「フラッシュ暗算」についての認知度の高まりが、被請求人自身による商標としての「フラッシュ暗算」の使用や、いくつかのイベントに被請求人が運営側として参加していたとしても被請求人自身による暗算方法の名称としての「フラッシュ暗算」の紹介によるものでない。すなわち、被請求人は、暗算方法の名称として注目度が高まりその内容もすでによく知られていた「フラッシュ暗算」の語句を、商標として出願したにすぎない。
　被請求人は、「フラッシュ暗算」の語を商標として使用しているソフトウェアの広告として、乙第５号証、同第６号証及び同第９号証を提出している。ここで、このソフトウェアの取引者や需要者は、教育界あるいは珠算界に関連する取引者・需要者、珠算や暗算に興味を持つ消費者、等であると考えられるが、これらの者が被請求人のソフトウェアの広告に表示されている「フラッシュ暗算」を見て、これが出所を表示する標識であると認識する人は一人もいないと考える。「フラッシュ暗算」が暗算方法の名称であることは被請求人自身が認めているところであり、ソフトウェアに表示されている「フラッシュ暗算」をみれば、この「フラッシュ暗算」の表示が暗算方法の表示であることを理解し、このソフトウェアが「フラッシュ暗算」を学び、訓練し、あるいは上達させるためのソフトウェアであることを推認させることは明白である。
　また、被請求人のみが、「フラッシュ暗算」の語を表示しているソフトウェアを販売しているのならばともかく、甲第５号証、同第６号証や同第１０号証に示すように、請求人は、宮本裕史氏の開発したソフトウェアでフラッシュ暗算訓練用のメニューを含む「あんざん力開発システム」を日本全国の珠算教室あるいは学校が導入する教育用プログラムとして販売し、平成１４年１月から「日本フラッシュ暗算協会」の名称の下に宮本氏が開発したソフトウェアに基づいて継続して検定試験を実施し、さらに、宮本裕史氏が開発したフラッシュ暗算の検定用ソフトウェアの販売を平成１４年６月から「フラッシュ暗算　個人検定用ソフト」の名称の下に全国の珠算教室向けに継続して行い、さらに同年１０月から生徒の自宅練習用ソフトとして「フラッシュ暗算パーソナル」の販売も継続している。
　請求人による「フラッシュ暗算」に関するソフトウェアの販売実績を示す資料を提出する。
　甲第５４号証は、平成１４年５月１日から平成１５年６月３０日までの請求人による「フラッシュ暗算」に関するソフトウェアの注文及び出荷記録の写しである。
　甲第５５号証は、平成１５年７月１日から平成１６年６月３０日までの請求人による「フラッシュ暗算」に関するソフトウェアの注文兼出荷記録の写しである。注文者の氏名又は名称と住所と電話番号は、秘密保持のため塗りつぶしているが、お客様番号については塗りつぶしていないので、それぞれが異なった注文主からのものであることがわかる。
　また、これらの記録は請求人が出荷したすべての記録を含むものではなく、明らかに「フラッシュ暗算」に関するソフトウェアの注文・出荷であっても例えば「個人検定用ソフト」しか表示しておらず「フラッシュ暗算」の記載のないものについては提出を断念したので、実際に出荷したソフトウェアは提出した件数より３０〜５０件程度多いものと思われる。向かって左側に注文したソフトウェアの明細が記載され、右側に受注日及び出荷日が記録されている。さらに金額の明細が左側中央部分あるいは右上の部分に記載されている。これらのソフトウェアの注文主は、各地の珠算教室あるいは商業高校など学校からのものである。
　したがって、これらの教室あるいは学校にはフラッシュ暗算を学習するシステムが納入されていることになる。すなわち、これら教室あるいは学校においてはフラッシュ暗算の指導が取り入れられており、指導者と生徒はすべて「フラッシュ暗算」の内容を十分に知っていたことを示している。これらのソフトウェアにおける「フラッシュ暗算」の表示は明らかに暗算方法を表示するものである。
　また、甲第４９号証に示されるように、請求人及び被請求人以外の様々な業者によって「フラッシュ暗算」に関するソフトウェアが販売されており、これらの製品に表示された「フラッシュ暗算」もまさに暗算方法を示すものである。さらに、例えば、インターネット上の検索エンジン「Ｙａｈｏｏ　Ｊａｐａｎ」で「フラッシュ暗算」をキーワードとして検索を実行すると、９万件以上の記事がヒットするが、そのうち相当の件数が自己のウェブサイトで自作した「フラッシュ暗算」用のソフトウェアを公開している。
　このように、「フラッシュ暗算」という語が本件商標の出願前からソフトウェア製品に普通に使用されていた実情を考慮すると、被請求人は識別標識としての「フラッシュ暗算」の使用を裏付けるべく乙第５号証、乙第６号証及び同第９号証を提出しているが、これらはどう見ても「フラッシュ暗算」の語が暗算方法を示す表示として使用されており、識別力ある商標として用いられていると見ることは到底できない。本件商標がデザイン化された文字等で出願されたのならばともかく、標準文字の態様で登録されている以上、本件商標を商品や広告宣伝に使用したとしても識別力を発揮できないのは被請求人による使用の例をみても明らかである。
　以上述べたように、「フラッシュ暗算」は、暗算方法を表す言葉として用いられてきたものであり、本来商品や役務の名称でもなく、商品や役務の品質や質を直接表示する言葉でもない。
（２）商標法第３条第１項第３号及び同法第４条第１項第１６号に関する反論について
　請求人は、基本的には「フラッシュ暗算」は、商品の品質、効能、用途あるいは役務の質、効能、用途を直接表示するものではない。
　「フラッシュ暗算」が本件商標の指定商品あるいは指定役務に使用された場合に、商品の品質、効能、用途あるいは役務の質、効能、用途を直接的に表示すると判断される可能性がないとはいえない。
　すなわち、「フラッシュ暗算」に関連するプログラム類、「フラッシュ暗算」に関する研究用教材に関する情報の提供や教育用ビデオの制作に使用する場合には、指定商品の品質等あるいは指定役務の質等の直接的表示であると解釈される余地があることを考慮し、そうした場合には、本件商標は商標法第３条第１項第３号に該当し、それ以外の指定商品または指定役務に使用する場合には「フラッシュ暗算」に関連する商品あるいは役務であるとの誤認を生ずるおそれがあるので商標法第４条第１項第１６号に該当すると主張する。
　被請求人は、商標法第３条第１項第６号の方が同第３号に比べて広い概念であり、同第３号に該当しない商標であっても同第６号に該当することはあるが、同第６号に該当しなくても同第３号に該当することはないと主張しているが、「フラッシュ暗算」をどのように解釈するかの違いに基づくものであり、請求人の主張が法論理上の矛盾を生じているとはいえない。
　そもそも、被請求人が本件商標「フラッシュ暗算」が特定の観念を生じない造語であると主張している点において、請求人の主張とは真っ向から対立している。請求人は、少なくとも本件商標の登録査定時においては、「フラッシュ暗算」という語句は、スクリーンあるいはコンピュータの表示画面に短い間隔で次々に映し出される数字を合計して答える暗算方法であると一般に理解されており、その事実は、甲第１号証ないし同第４９号証、甲第５４号証及び同第５５号証によって証明されていると確信する。
　被請求人は、商標法第３条第１項第３号及び同法第４条第１項第１６号に該当するとの請求人の主張について、先の無効審判で既に結論が出されており、証拠と適用条文を異にするものの、実質的には同一事項についての判断を求めるものであり、被請求人の対応が必要である点では、実質的に一事不再理に該当すると述べている。
　しかし、本件において提出した証拠は先の無効審判において提出した証拠とは全く性質の異なる証拠であり、請求人の主張を支える極めて重要な証拠と考える。また、本件における請求人の主張は先の無効審判における主張とは異なるものである。
　したがって、本件は先の無効審判と同一事項についての判断を求めるものではなく一事不再理に該当しない。
（３）商標法第４条第１項第７号に関する反論について
　「フラッシュ暗算」の普及に当初から大きく貢献したのはこの手法を初めて開発した宮本裕史氏及び請求人であって、被請求人は後から参入したにすぎない。本件商標の出願時には、すでに「フラッシュ暗算」の語句は、珠算界において日常的に使用されていたものであり、請求人及び珠算業界の関係者は従来通り「フラッシュ暗算」の名称を平穏に使用し続けられることを強く望んでいる。
　例えば、「フラッシュ暗算」に関するソフトウェアは多数販売されているが、珠算業界にとっては、これらのソフトウエア製品がその品質において自由に競えることが望ましいのであって、これらの製品に表示する「フラッシュ暗算」が被請求人による本件商標の登録の取得により、「フラッシュ暗算」の表示が自由に行なえなくなるのであれば、自由な競争が阻害され、「フラッシュ暗算」に関するソフトウェアの健全な発展を阻害するものである。　また、各種競技会や検定試験での「フラッシュ暗算」の使用や、各珠算教室での「フラッシュ暗算」の使用に許諾が必要となれば、珠算界の自由な活動と発展を大きく妨げるものである。
　実際に、被請求人が本件商標について登録を取得したのをきっかけとして、毎日新聞社主催の「毎日パソコン入力コンクール」における競技部門の表示「フラッシュ暗算」が本年１０月に主催された大会では、「フラッシュ計算」に表示が変更されている（甲第５６号証）。
　また、兵庫県西宮市のあんざんスクールＭＡＸ代表である鈴木宗一氏による「フラッシュ暗算の商標について（意見）」を甲第５７号証として提出するが、鈴木氏は毎日パソコン入力コンクールにおける「フラッシュ暗算」の「フラッシュ計算」への名称の変更についての事情を説明するとともに、フラッシュ暗算の商標権取得による混乱を懸念しており、これが珠算界における多くの関係者の意見を代表しているものと考える。同様に、社団法人全国珠算教育連盟が監修したソフトウェア「ＤＳそろばん」の「フラッシュ暗算」の記載の部分は「フラッシュ計算」に変更された。
　また、甲第５８号証として、日本珠算連盟の検定部会部長である大貝敏次氏の「フラッシュ暗算の名称について」という文書を提出するが、日本珠算連盟では、フラッシュ暗算の検定試験を実施するにあたり、「フラッシュ暗算」を使用できなかったため、暗算能力コンピュータ検定試験」の名称で検定試験を実施しているが、「フラッシュ暗算」を使用していないため、受験者が増加しないという問題に直面していることがわかる。
　被請求人は、商標から生じる経済的価値を独占するためのみに本件商標を指定商品・指定役務について登録したものではないとし、まず、「フラッシュ暗算」という手法を特定することにより、珠算教育の改革・復権による我が国の教育水準の向上を図るという社会的な目的を有しているものであると主張しているが、そもそも被請求人自身が開発した手法ではなく、既に珠算界に広まっている手法について、「手法を特定する」というあいまいな表現で何を指標しているのか判然としないし、また、それがどのように商標登録の取得と結びつくのかも不明である。
　また、被請求人は、「『フラッシュ暗算』を適正に使用したいと考えている第三者に対しては、無償の使用許諾を行なうことも考慮に入れており、実際、業界の会合等においてはそのような話をしている。むしろ、私的利益の独占を図る第三者の手から『フラッシュ暗算』の語を守るという性質をも有していると考えることも出来る」と主張しているが、これも従来当たり前のように珠算界で使用されていた「フラッシュ暗算」について、無償にしろ、いちいち使用の許諾を受けなければならないのでは、「フラッシュ暗算」の発展に大きな制約を課すことになる。被請求人が真に「フラッシュ暗算」の健全な発展を願っているならば、本件商標の登録を維持せずに、「フラッシュ暗算」の語句を自由な使用にまかせるべきである。
　請求人は、被請求人の事業活動そのものを非難しているわけではなく、被請求人の珠算業界の貢献については鈴木氏も認めている（甲第５６号証）が、「フラッシュ暗算」の商標登録については、本件商標の登録後に、今まで平穏に「フラッシュ暗算」の用語を使用してきた多くの珠算教育関係者や珠算検定の実施者等の間に大きな困惑や混乱を生じさせたのは事実であり、請求人に対しても「フラッシュ暗算」の使用に関する疑問や問い合わせが寄せられている。本件商標の登録が有効である限り、このような困惑や混乱に対するおそれが解消されることはない。
　　
第３　被請求人の主張
　被請求人は、本件審判請求は成り立たない、審判費用は請求人の負担とするとの審決を求めると答弁し、その理由を次のように述べ、証拠方法として乙第１号証ないし同第１２号証を提出した。
１　答弁（第１回）
　被請求人は、請求人の主張に対し、以下のとおり反論する。
（１）商標法第３条第１項第６号に対する反論
　ア　フラッシュ暗算の語について
　「フラッシュ暗算」の語それ自体の語義は、先の無効審判（無効２００５−８９０４５）の審決の中で、「『フラッシュ』の語自体に数字や暗算等との関連性を見い出すことができないことから、全体として、自然な意味合いを理解・認識し得るものではなく、また、『フラッシュ暗算』の語から直ちに、請求人が主張している『スクリーン（パソコンの表示画面）上に順次に数字を表示し、看者がその数字を加えて答えを出す暗算方法』を想起し得るものともいい難い・・・そうとすれば、『フラッシュ暗算』の語は・・・特定の意味合いを認識させることのない一種の造語からなるものというのが相当」と審判官により判断されている（乙第１号証）。
　造語性の強い商標は一般的に、指定商品・指定役務との関係では高い識別力を有するものと考えられる。本件商標もその例外となるものではない。需要者等が本件商標に接した場合に、指定商品・役務の品質や質等を具体的に認識することはないものと考えられる。この点については請求人も、審判請求書において「『フラッシュ暗算』は、このように暗算方法を表す言葉として用いられてきたものであり、本来商品や役務の名称でもなく、商品や役務の品質や質を直接表示する言葉でもない」として、自認している。「フラッシュ」の語自体に数字や暗算の概念が含まれないことは先の審判の審決時と全く異なることはないので、全体として暗算方法の内容を表示したものでないことに変わりはない。
　商標法第３条第１項第６号に該当する商標とは、同法第３条第１項第１号ないし第５号の各号に該当しない商標であっても、指定商品・役務との関係で自他商品識別力がない商標がこれに該当すると考えられる。法文上は「・・・需要者が何人かの業務に係る商品又は役務であることを認識することができない商標」と規定されている。法文を厳密に解釈して本件商標について当てはめると、「フラッシュ」の語が指定商品・役務との関係で商標法第３条第１項第１号ないし第５号のいずれかに該当し、「暗算」の語もまた、「フラッシュ」の語が該当しない商標法第３条第１項第１号ないし第５号のいずれかに、指定商品・役務との関係で該当している場合に、商標全体として識別力がないと判断されて、商標法第３条第１項第６号に該当することになるものと考えられる。
　例えば、「フラッシュ」の語が指定役務の内容を記述的に表示した語（３号）であり、「暗算」の語が指定役務の普通名称（１号）である場合、商標「フラッシュ暗算」は全体として商標法第３条第１項第６号に該当するものと考えられる。この組み合わせは全部で２０通りであり、法理論上は、この２０通りに該当しなければ商標法第３条第１項第６号に該当しないものと考えられる。
　「フラッシュ」の語の意味は、「（１）閃光。特に、写真撮影で、被写体に当てる閃光。閃光電球・ストロボなどを用いる（２）映画・テレビでごく短い場面」（三省堂『大辞林　第二版』）であり、本件商標の指定商品「電子応用機械器具及びその部品」等、及び指定役務「技芸又はスポーツの教授」等の普通名称や慣用商標ではないことは明らかであり、また、指定商品・役務の内容を記述的に表示したものでもない。さらに、ありふれた氏等や、極めて簡単でありふれた文字でないことは言うまでもない。
　一方、「暗算」の語は、「筆算や珠算によらず、頭の中で計算すること」（三省堂『大辞林　第二版』）であり、計算方法の一態様を意味する語であって、これも商品や役務を直接表示するものではない。ただし、役務の中には暗算に関連する役務も存在するので、その限りでは役務の内容を示すものと認識される可能性も否定できない。しかし「フラッシュ」の語は単に一瞬の光である閃光を意味するにすぎず、数字や暗算や商品との直接の関連性はないと言わざるを得ない。
　これらの点を考慮すると、「フラッシュ」と「暗算」の語を結合させた「フラッシュ暗算」の語は、指定商品・役務を具体的に認識させる語ではない。
　イ　請求人の提出した証拠について
　請求人は、甲第１号証ないし同第４９号証を提出し、その中でも甲第６号証ないし同第４９号証によって、「フラッシュ暗算」の語が業界において普通に使用されているため、商標法第３条第１項第６号に該当すると主張しているものと考えられる。請求人は審判請求書の中で「これらの商品にいくら『フラッシュ暗算』を用いたからといって、あくまでも暗算方法を示す言葉に他ならず、使用によって識別力が生じる商標とは到底いうことはできない」と主張している。
　しかし、当該主張には、本号に該当するとする明確な理由または該当することに言及した文言が存在していない。業界において、指定商品・役務の内容等を表示する語として普通に使用されている場合は、需要者等は商品・役務の内容等を直接的・具体的に認識することができるため、一定の出所から流出する商品・役務であると一般的に認識することができない商標であるから、商標法第３条第１項第６号に該当するという主張が、本号に該当するとする場合の正しい論理展開である。
　さらに、「フラッシュ暗算」の語が暗算方法を示す語として普通に使用されているとしても、指定商品・役務の内容を直接的・具体的に表示する語として普通に使用されていなければ、「フラッシュ暗算」の語が指定商品・役務の内容等を具体的に指し示すことには該当しないことになるので、識別力のある商標であると考えられる。請求人の主張は、この点に関する主張を欠いているものである。コンピュータを使用した暗算方法の名称である「フラッシュ暗算」の語を、本件商標の指定商品である「電子応用機械器具及びその部品」等や、指定役務「技芸又はスポーツの教授」等に使用しても、「フラッシュ暗算」の語は、指定商品・役務との関係では業界において、直接的または具体的な内容表示として普通に使用されていないため、需要者等が本願商標に接しても、商品・役務の内容を具体的に認識することはない。むしろ本件商標は、一定の出所から提供されたものであることを示す標識と一般的に認識することができる商標である。
　これらの点を考慮した上で甲号証を精査してみると、「フラッシュ暗算」という語の用語説明が大半であり、指定商品・役務の内容を具体的に表示する状態で記載・使用されている例はほとんど存在していない。
　請求人は、「フラッシュ暗算」という名称について説明がなされている記事等を証拠として提出しているにすぎない。これは、例えば、「『味の素』とは“グルタミンソーダ”である」という内容の解説としての使用例が新聞等に多数存在しているだけであり、かかる使用例だけでは、商標「味の素」が指定商品「調味料」（又は指定役務）について普通に使用されているということはできないことと同義である。本件商標の指定商品・役務との関係で内容表示用語と誤解して用いられている可能性のあるものとしては、甲第１０号証の一部と甲第２１号証のわずか２件があるにすぎない。
　また、「フラッシュ暗算」の語について、内容の説明としての多数の使用例が存在しているということは、裏を返せば、該語が暗算方法であるということ自体が需要者等の間で認識されていない、または通用していないことの現われである。例えば、「珠算」の語が同じ記事の中で用語説明がなされていないのは、「珠算」がどのようなものか需要者が認識しているからである。同様に考えれば、「フラッシュ暗算」の語には用語説明が必要であるということができる。言葉そのものの語義が通用していない以上、該語が指定商品・役務の内容等を具体的に表示するということは、理論上も現実問題としてもありえない。この点を考慮すると、請求人が提出した証拠の中で、解説がなされていない「フラッシュ暗算」の語の使用例に需要者等が接した場合、該語が何を意味するのか判然としないものと考えられる。
　また、少なくとも甲第２２号証、同第２３号証、同第２６号証及び同第３２号証は被請求人が運営側として参加したイベント等を紹介した新聞記事であり、精査すれば、他にも被請求人が関与したイベントが請求人の提出した証拠の中に存在していることと思われる。被請求人は本件商標の出願、登録前からイベント等で暗算方法の名称として「フラッシュ暗算」を紹介してきた結果、現在では「フラッシュ暗算」といえば、被請求人の商品・役務に関するものと理解する需要者等も多数存在している。
　ウ　小括
　上記のように、「フラッシュ」の語は単に“閃光”の観念が生じるだけであり、商品とも役務とも直接は結びつかない単語であって、数字や計算や暗記とは全く関連のない語である。先の無効審判の判断にあるように、本件商標は特定の観念を生じない造語と考えられるものである。
　また、請求人が提出した証拠によっても、暗算方法の内容を表示する用語として、普通に理解できたり、親しまれた用語であったり、用語として通用しているとは言い難いものである。商標となっている言葉自体の語義が不明確である以上、指定商品・役務の内容を具体的に表示するものとは考えられない。
　また、請求人が提出した証拠は権利者の採択した名称の商品または役務の解説としての使用例であって、本件商標は、一定の出所から提供されたものであることを一般的に認識させることができる商標であると考えられるので、識別力のある商標である。
　ちなみに、パーソナルコンピュータのモニターであるスクリーン画面上に数字を瞬時に表示して計算する暗算方法を「コンピュータ暗算」と表示している例が見受けられる。この表示も具体的ではないという点では、商標と考えられる。同様に「モニター暗算」、「パソコン暗算」、「スクリーン暗算」のような直接的・具体的ではないが暗示的な商標は他にも存在する可能性が十分にある。
（２）商標法第３条第１項第３号及び同法第４条第１項第１６号について
　請求人の「本件商標が商標法第３条第１項第３号に該当する。」との主張は、法律の適用を誤った主張である。
　商標法第３条第１項第６号は識別力がない商標は登録しない旨の総括規定であり、商標法第３条第１項第３号はその具体的な例として、商品・役務の内容等を記述的に表したに過ぎない商標は登録しない旨の規定である。すなわち、６号のほうが３号に比べて広い概念であり、商標法第３条第１項第３号に該当しない商標であっても商標法第３条第１項第６号に該当することはあるが、６号に該当しなくても３号に該当するということはない。この点において請求人の主張には法論理上の矛盾が生じている。
　商標法第３条第１項第３号の該当性だけを純粋に考えてみると、上記のように、本件商標は特定の観念を生じない造語であり、請求人が提出した証拠によっても、業界において指定商品・役務について普通に使用されている語であるとは考えられないため、指定商品・役務の内容等を直接的・具体的に持定する語であるとは考えられない。
　したがって、本件商標は指定商品・役務について識別力を有する商標であり、商標法第３条第１項第３号に該当するものではない。
　また、指定商品・役務の内容等を直接的・具体的に表示するものでない以上、「『フラッシュ暗算』に関連する指定商品・役務以外の商品・役務」に使用しても、商品・役務の品質・質を誤認することにはならないため、商標法第４条第１項第１６号に該当するものでもない。
　この点については、先の無効審判で既に結論が出されている。証拠と適用条文を異にするものの、実質的には同一事項についての判断を求めるものであり、被請求人の対応が必要である点では、実質的に一事不再理に該当する。特に商標法第３条第１項第３号と同第４条第１項第１６号に関する限り、重要な新たな証拠のないままに再請求された、同一の請求の理由に基づく無効審判と考えられる。いかに証拠が同一でないとはいえ、実質的に同一の主張の繰り返しにすぎない。
　本件登録は、少なくとも先の無効審判で既に請求の対象となった指定商品と役務について、商標法第３条第１項第３号及び同法第４条第１項第１６号に該当しないものと判断されたものであり、同法条との関係では実質的な判断を要しない。
（３）商標法第４条第１項第７号について
　ア　商標登録が有効であり、商標権が存在する以上、第三者が商標権の侵害とならないようにフラッシュ暗算の名称を変更することは、通常の行為にすぎない。
　これに対して、請求人は、「検定試験を実施している団体では、フラッシュ暗算の名称を他の名称に変更することを考え、あるいはフラッシュ暗算検定用のソフトウエアを、被請求人が本件商標の登録を有しているがために、被請求人の製造販売するソフトウエアに変更するといった事態が事実起こってきている」、そして、「『フラッシュ暗算』の言葉の使用は広く開放されるべきであって、このような言葉と同一の商標に登録が付与されることによって生じた、誤った認識に基づく無用の混乱のさらなる拡大を防止するために、本件商標は、商標登録がされた後に、商標法第４条第１項第７号に該当するに至った」と、いかにも由々しき事態であるかのごとく主張している。　商標権者以外の第三者が、指定商品・役務と重複する商品・役務について「フラッシュ暗算」の語を使用する場合に通常求められる注意を払うことについて「無用の混乱」などと表現することは、請求人の主観・感情にすぎない。
　商標法第４条第１項第７号に該当する場合とは、公序良俗を害するおそれがある場合、すなわち、商標の構成がきょう激、卑わい、差別的若しくは他人に不快な印象を与える場合、社会の一般的道徳観念に反する場合、国際信義に反する場合、あるいは他人の信用が化体した商標を剽窃的に登録した場合等に該当するものと考えられる。
　本件商標の構成を客観的に見た場合、上記のような７号に該当するような典型的なものではない。また、本件商標権者には他人の信用を剽窃するような主観も存在していない。そもそも、「フラッシュ暗算」の語に何人かの信用が化体していたかといえば、そのような事実はなく、むしろ、商標権者自身が粉骨砕身の努力を重ねて名称の周知を図っているところである。
　請求人は、「『フラッシュ暗算』を商標として登録する意思は全くなく、また『フラッシュ暗算』という語句が商標として登録されるはずもないと認識していた」と主張している。請求人としてはそのような考えを持っていたため、本件商標は登録になるべきものではなく、過誤登録されてしまったために混乱が生じるという理論を持ち出しているものである。
　しかし、商標は選択であるため、登録要件を満たす限りは、既存の語または所有者の明らかでない標識であっても、自由に採択して登録を受けることができる。請求人が自己完結的に判断した「フラッシュ暗算」の語の誤った登録予見可能性を根拠としてあきらめていた事実を根拠に、その独占可能性が失われたからといって、本件商標の存在が混乱を生じさせているという主張は、単に感情論にすぎないものである。
　イ　本件商標を取り巻く状況
　我国の珠算教育において中心的な役割を果たしているのが、全国珠算教育連盟、商工会議所の後援の下で組織された日本珠算連盟、全国珠算学校連盟である。
　被請求人は、その中でも最重要と思われる全国珠算教育連盟及び日本珠算連盟の賛助会員（乙第２号証）となっており、その上で本件商標を使用した業務を行っている。
　請求人は、本件商標が登録されたために珠算業界に無用の混乱が生じていると主張しているが、全国珠算教育連盟も日本珠算連盟も、平穏に「フラッシュ暗算」の商標を使用して無事に活動を続けており、混乱を生じているような事実は存在していない。
　日本珠算連盟の主催により行われた「あんざんグランプリジャパン２００７」では、競技の一つとして「フラッシュ暗算競技」が行われている（乙第３号証第２頁）。
　また、同大会の開催にあたり、日本珠算連盟より被請求人に運営委員を委嘱する旨の依頼があり（乙第３号証の２）、被請求人の従業員である「二石芳格」ほか２名が委員として運営に携わっている（乙第３号証第３頁及び同第３号証の３）。
　また、同大会のパンフレットには、いわゆる「フラッシュ暗算」を練習するための被請求人のソフトウェアの広告が掲載されている（乙第３号証）。　同大会の販売用記録ＤＶＤの作成については、日本珠算連盟より被請求人に一括して依頼がなされている（乙第４号証）。
　また、日本珠算連盟が発行する隔月発行の冊子「日本珠算」及び全国珠算教育連盟が発行する新聞「全国珠算新聞」にも、請求人のソフトウェアの広告が掲載されており、「フラッシュ暗算」の語が商標として使用されている（乙第５号証及び同第６号証）。
　なお、「日本珠算」への広告掲載は日本珠算連盟からの依頼により、「全国珠算新聞」への広告掲載は全国珠算教育連盟からの依頼によりなされているものである（乙第２号証、同第７号証及び同第８号証）。
　すなわち、これらの証拠からは、被請求人が珠算教育の中心的役割を担っている公式の団体と密接な関係を築いていることが窺えるものであり、請求人が主張するような珠算業界の混乱などは生じていない。混乱しているように主張しているが、事実とは到底考えられない。
　また、請求人は、甲第４８号証として提出した冊子「サンライズ」について、「もし、被請求人が商標『フラッシュ暗算』の使用を自ら開始し、普及に努めていたのであれば、この広告で商標としての『フラッシュ暗算』の使用をしていないはずはない」と主張している。
　しかし、請求人が提出した証拠は、本件商標の出願前であり、登録主義の下、権原がなければ正当な使用とならないことを被請求人は熟知していたため、本格的な使用を開始していなかったものである。もっとも上記のように、被請求人は出願前からイベントの運営側として、暗算方法としての「フラッシュ暗算」の普及に努めていたものであり、実質的には登録前から「フラッシュ暗算」を商標として使用は開始していた。
　本件商標の登録後、被請求人は、冊子「サンライズ」（２００７年３月号〜８月号）の裏表紙において「個人練習用、フラッシュ暗算ソフト」等の語を用いて、広告を行っている（乙第９号証）。
　請求人は、「被請求人が『フラッシュ暗算』を商標として使用している証拠を探したが、そのような証拠を見出すことはできなかった」と主張しているが、被請求人は登録前も使用しており、登録後は正当権原のもとで本件商標を指定商品について使用している。
　請求人は、登録前は商標として使用していなかったと指摘しているが、被請求人が「フラッシュ暗算」の普及に努力していた事実は数多く、審判請求書に証拠として提出された甲第２２号証、同第２３号証、同第２６号証及び同第３２号証は、被請求人が関与した活動である。「フラッシュ暗算」を普及させ、同時に「フラッシュ暗算」の商標を珠算連盟の活動に供するために使用させ、他人に「フラッシュ暗算」の商標を剽窃されないために権利化したものである。
　被請求人は、商標から生じる経済的価値を独占するためのみに本件商標を指定商品・役務について登録したものではない。「フラッシュ暗算」という手法を特定することにより、珠算教育の改革・復権による我国の教育水準の向上を図るという社会的な目的を有しているものである。「フラッシュ暗算」を適正に使用したいと考えている第三者に対しては、無償の使用許諾を行うことも考慮に入れており、実際、業界の会合等においてはそのような話をしている。むしろ、私的利益の独占を図る第三者の手から「フラッシュ暗算」の語を守るという性質をも有していると考えることもできる。現に、被請求人は、全国珠算教育連盟及びその県支部から、公共事業活動に貢献したとして感謝状を贈られている（乙第１０号証）。
　これらの点を考慮すると、業界において大きな無用の混乱を生じているため、本件商標の登録後に商標法第４条第１項第７号に該当するに至ったとする請求人の主張は、失当である。
（４）結語
　請求人の主張はいずれも失当であり、本件商標は、自他商品・役務識別機能を有しない商標ではない。また、商品・役務の効能・用途を普通に用いられる方法で表示する標章のみからなる商標でもなく、品質表示でない限り、商品・役務との関係で品質誤認を生じるおそれがある商標でもない。さらに、公序良俗を害するおそれがある商標にも該当しない。
　したがって、本件商標は、商標法第３条第１項第６号、同法第３条第１項第３号及び同法第４条第１項第１６号、同法第４条第１項第７号に反して登録されたものではない。
２　答弁（第２回）
　被請求人は、請求人の弁駁に対し、以下のとおり反論する。
（１）商標法第３条第１項第６号について
　請求人は、新たに注文書兼出荷記録の写し（甲第５４号証及び同第５５号証）を提出しているが、注文書には、「フラッシュ暗算」の文字が記載され、請求人が「フラッシュ暗算」の語を使用していたことは理解できる。しかし、これは請求人側のフォームであり、一定のソフトについて請求人が一方的に「フラッシュ暗算」の語を表示しているにすぎず、当業者間で、または需要者の間で商品の内容を具体的に表示するものとして広く認識されて使用していたという証拠とは考えられない。
　また、一般的に他の業者も使用している用語である事を証明しているものでもない。単に請求人本人が使用をしていたにすぎず、同人の商標に対する理解が明確でなかった事を明らかにしているにすぎない。すなわち、注文書の品名の欄に記載されているその他の商品の表示を対比考察すると、「テレビそろばん」、「イメージ暗算」、「チャレンジにゃんにゃん」、「ＭＡＸビンゴ」等、数々の商標が表示されている。これらの文字列は、既存の熟語等ではなく、明らかにそれ自体では商品の内容を表示したものとは言えない名称が並んでいる。これらの文字列は通常は商品の内容についての説明がなければどのような商品であるかを具体的に特定することができるものではない。商品の名称の中で「フラッシュ暗算」のみが商品についての具体的な内容の表示であると主張されたい意向であるが、単に商標と商品表示を混同しているにすぎない。注文書の「フラッシュ暗算」の表示がどのような内容の暗算方法を表示するものかも不明であり、ソフトの購入者は請求人の販売する「フラッシュ暗算」という商標の付けられた商品を購入しているという意識しかないと考えられるだけであって、特定の暗算方法を具体的に表示していると理解され、使用されていたことはないと考えられる。
　したがって、甲第５４号証及び同第５５号証により本件商標の自他商品等識別機能を否定する事情は説明または証明されてはいない。
　請求人は「フラッシュ暗算」の語を商標として使用していたとも考えられるが、このことは本件商標の登録を妨げる事情となるものではない。
　また、他人が「フラッシュ暗算」の語を暗算方法の名称として採択していたことは直接的に商標法第３条第１項第６号に該当する理由にはならない。
　「フラッシュ」と「暗算」とがどのような関連があるかが文言上または常識的（一般）に明らかでない限り、識別標識として機能する事は明らかである。
　一部で使用されていた事実があったとしても文字に顕著性がある事実は変えられない。不特定多数によって広範囲に使用された結果、需要者が何人かの業務に係る商品・役務である事を認識する事ができなくなる事も考えられなくはないが、もしそれを主張するならそれを証明する数多くの資料が必要となる。単に請求人が商標か何か区別が付かずに使用していた例をもってこの事を証明したことになるとは到底考えられない。
　なお、商標権者が本件商標を商標として使用していた事実は先に提出した証拠（乙第５号証、同第６号証及び同第９号証）からも明らかである。この中で「フラッシュ暗算」の語の上部に小さく記載されている「暗算教育ソフト」の文字がむしろ商品の内容または品質等を表わす表示である。
（２）商標法第３条第１項第３号及び同法第４条第１項第１６号について
　請求人は、商標法第３条第１項第６号に該当しなくても同法第３条第１項第３号に該当することがあるという主張は不合理であるとする商標権者の指摘に対し、法論理上の矛盾は生じていないと述べているが理解を超えるものである。商標法第３条第１項は、商標として識別力がない商標は登録を受けることができない旨規定しており、６号の総括規定は前１号から５号までの例示に該当しない場合を規定している。１号から５号に該当しないものについて６号を考察するのであって、６号に該当しない場合でも１号から５号に該当する場合があると考えるのは論拠のない反論である。６号の文言中の「前各号に掲げるもののほか」という記載からも明らかであり、３号に該当している場合には「前各号に掲げるもののほか」の記載を考慮しなければ６号にも該当していることになる。すなわち、該当しない場合には識別力を有すると考えられる。
（３）商標法第４条第１項第７号について
　請求人は、甲第５６号証として毎日新聞社主催の毎日パソコン入力コンクールにおける「フラッシュ計算」へ表示が変更されたこと及び全国珠算教育連盟が監修したソフトウェア「ＤＳそろばん」の「フラッシュ暗算」の記載部分が「フラッシュ計算」に変更されたことについて、全国珠算教育連盟があたかも商標権者の商標権の存在を懸念しているかのように述べているが、商標権者は、商標の使用についての申し出や商標権取得についての弊害や懸念等の意見も何も受けていない。
　また、珠算業界において正当に「フラッシュ暗算」の語を使用する者から使用についての申し出があった場合には、フラッシュ暗算の普及に貢献するものであれば無償で許諾をする意向である。商標権者等は、今まで普及のために努力してきた「フラッシュ暗算」の語が、他人により営利を目的として混用される可能性から保護するために本件商標権を保持しておく必要があると考えている。
　また、請求人は、甲第５７号証として兵庫県西宮市のあんざんスクールＭＡＸ代表である鈴木宗一氏による「フラッシュ暗算の商標について（意見）」を提出しているが、これはこれまでの事情がわからない者が、一個人として感想を延べているものである。
　また、請求人は、甲第５８号証として日本珠算連盟の検定部会部長である大貝敏次氏による「フラッシュ暗算の名称について」という文書を提出し、検定試験の名称に「フラッシュ暗算」の語を使用できなかったために受験者が増加しないかのような主張をしている。
　しかし、検定試験というのは、名称によって受験するかどうかを決定するとは考えられないので、受験者が増加しないことと「フラッシュ暗算」の語が商標権として認められたこととは無関係である。
　さらに、商標権者は、大貝氏の文章中に記載されているようなクレームは行っていないので事実と異なることが記載されている事をここで指摘する。日本珠算連盟に確認したところ、大貝氏の文書は日本珠算連盟としてのものではなく単に一個人としてのものであるとの回答も得ている。
　上述のように、商標権者の商標権取得により珠算業界が混乱しているとの主張は全く事実ではない。むしろ、請求人（またはそのグループだけ）が無用な混乱を生じさせていると考えられる。
　請求人は、商標権者が商標権を取得したことによりソフトウェア製品の自由な競争や健全な発展が阻害されると主張しているが、商標権者は、正当な使用に対しては無償で使用許諾をする意向があり、現在もそのように行動している。商標の使用に関して、申し出や問い合わせ等を何もされていないにもかかわらず、一方的に珠算業界に混乱を招き発展を妨げているとの主張は認められるものではない。そもそも、出願すれば誰でも登録を受けられる可能性があった、識別力を有する商標「フラッシュ暗算」を先願主義の下に出願し、登録を受けたまでのことである。
　請求人は、真に「フラッシュ暗算」の健全な発展を願っているならば、本件商標の登録の維持をせずに自由な使用にまかせるべきであると主張しているが、商標権者の権利化の主眼は、第三者が「フラッシュ暗算」の語を異なる方式や算術の方法や商品に勝手に使用することを阻止するのが目的であり、そのようなことが繰り返されるとすれば珠算業界全体として不利益を被ることになることは明らかである。
　また、請求人は、商標権者が無償で使用許諾を行う意向を示していることについて、「フラッシュ暗算」の発展に大きな制約を課すと述べているが、許諾を受けることがそのような複雑な手続であるとは考えられない。
　以上のとおり、本件商標の権利化により業界に混乱を生じているとの主張は、権利の存在を否定したい請求人側の私見にすぎず、商標権者の所有する「フラッシュ暗算」の商標の付された商品・役務は業界に何等の混乱も起こしているものではない。
　
第４　当審の判断
１　商標法第３条第１項第６号該当について
（１）商標法第３条第１項各号に該当するものとは認められない商標であっても、自他商品・自他役務の識別機能を果たし得ないと認められる標章に本号の適用があることは、「前各号に掲げるもののほか、・・」とする本号の規定振りからも明らかというべきである。そして、結合商標の場合にあって、結合した各語（文字）が１号から５号に該当しないときであっても、結合した全体として自他商品・自他役務の識別機能を果たし得ないと認められるときには、当然に、６号に該当する場合があるというべきである。
　この点につき、被請求人は、結合した各語が１号から５号のいずれかに該当する場合に、１号と５号というように、その組み合わせが２０通りあり、結合商標の場合にあって、その２０通りに該当しなければ、６号には該当しない旨主張する。
　しかし、６号に該当するものが被請求人主張の２０通りに限定されるとしなければならない合理的な理由はなく、上記のとおり解するのが相当というべきである。
（２）請求人及び被請求人の提出した証拠によれば、以下の事実が認められる。
　ア　平成１２年１２月２４日に開催された浦和珠算連盟主催の珠算競技大会において、その大会次第の中に、読上算や読上暗算などとともに、「フラッシュ暗算」が記載されている（甲第８号証）。
　イ　本件商標の出願前に発行された新聞に、以下の記事が掲載された。
（ア）平成１３年１２月２４日付読売新聞（甲第１９号証）には、「さいたまで全国大会」と題して、「・・スクリーンに映る数字を読み取っていくフラッシュ暗算、英語読み上げ算で腕を競った。・・」との記事が掲載された。
（イ）平成１４年３月７日付茨城新聞（甲第２０号証）には、水戸市珠算連盟の表彰式に関する報道記事の中で、「子供たちは、会場のスクリーンを使った暗算・フラッシュ暗算を体験しながら、それぞれの暗算力を試していた。」との記事と、スクリーンに数字が大写しになった会場の様子を写した写真を掲載した。
（ウ）平成１４年５月６日付中國新聞（甲第２３号証）には、「フラッシュ暗算　家族連れら挑戦」と題して、「日本珠算連盟広島支部が『みんなでチャレンジ！フラッシュ暗算』を初開催。家族連れ約６００人が参加した。」との記事が掲載された。
（エ）平成１４年６月９日付読売新聞（甲第２４号証）には、東京都庁前で開かれた「そろばんフェスティバル」の参加者が「フラッシュ暗算」に挑戦したとの記事が掲載された。
（オ）平成１４年８月３日付琉球新報（甲第２５号証）には、那覇市で開催された「そろばんフェスティバル」の報道の中で、「・・注目されているというフラッシュ暗算が紹介され・・」との記事が掲載された。
（カ）平成１４年１２月２２日付西日本新聞（甲第２７号証）には、春日市での珠算大会に関する報道の中で、「今回初めて『フラッシュ暗算』の部門を登場させた。」との記事が掲載された。
（キ）平成１５年１月２３日付西日本新聞（甲第３１号証）には、「あの人この人」欄で、そろばん教師が「最近、テレビで話題のフラッシュ暗算に出演している人は、みんな珠算経験者です。上達するとそろばんが頭の中に入り、頭の中で指より早く珠を動かします。」とのコメントをした記事が掲載された。
（ク）平成１５年５月１３日付北海道新聞（甲第３６号証）には、「フラッシュ暗算大会」と副題して、「そろばんとコンピュータを組み合わせた『フラッシュ暗算』の函館地区大会が・・行われ、幼稚園や保育園児から一般まで約３８０人が計算力を競った。」との記事と、モニターを見つめ数字を追う参加者の様子を写した写真が掲載された。
（ケ）平成１５年５月２２日付産経新聞（甲第３７号証）には、「そろばんの復権（上）」と題する欄に、「フラッシュ暗算は一昨年秋、テレビのバラエティー番組で火がついた。画面に次々に現れる数を暗算する。」「『フラッシュ暗算の教室を教えて』という問い合わせがあった」と日本珠算連盟専務理事・・は苦笑する。フラッシュ暗算の前提はそろばんの熟達で、フラッシュ暗算だけの教室はないからだ。しかし、問い合わせをきっかけにそろばん教室に通い始めた子供もいるという。」との記事が掲載された。
（コ）平成１５年５月２３日付産経新聞（甲第３８号証）には、「そろばんの復権（下）」と題する欄に、「人気のあるフラッシュ暗算にも積極的で、日珠連は今年７月の創立５０周年記念大会で、種目のひとつとし、全珠連も８月の全国大会で種目別競技に加える。」との記事が掲載された。
（サ）平成１５年６月５日付読売新聞（甲第３９号証）には、「一けたの数字がテレビ画面に５回にわたって次々に映しだされ、それを瞬時に頭の中で加算する『フラッシュ暗算』に挑戦した。」との記事とその模様を写した写真が掲載された。
（シ）平成１４年７月１１日付日経流通新聞（甲第４１号証）には、「キーワード」欄に、「テレビ画面に次々と表示される数字の合計を答える暗算訓練法。昨年テレビのバラエティー番組で紹介されて以来、珠算教育の救世主として注目されるようになった。フラッシュ暗算の面白さはそのゲーム性にある。」として「フラッシュ暗算」の紹介記事が掲載された。
（ス）上記以外にも、本件商標の出願日より前に発行された複数の新聞（甲第２８号証ないし同第３０号証、甲第３３号証ないし同第３５号証）の記事の中において、「フラッシュ暗算」が紹介され、珠算競技会の競技種目とされたとの記事が掲載されている。
　ウ　上記イのほかに、本件商標の登録日前までに発行された朝日新聞、毎日新聞、山形新聞、静岡新聞、京都新聞、愛媛新聞等々、複数の新聞の記事の中において、「フラッシュ暗算」が珠算競技会の競技種目等として記載され、報道されていることが確認できる（甲第１６号証、同第４０号証）。
　エ　平成１３年１１月２１日放送のテレビ番組「１００％キャイーン」の中で、「フラッシュ暗算」が初公開になったこと、同年１２月５日放送の同番組においても「フラッシュ暗算に出演者全員が挑戦」したこと（甲第１１号証）、同年１２月５日放送の同番組においても３回目となる「フラッシュ暗算」の放送がされたこと（甲第１２号証）が認められる。
　また、平成１６年６月２７日放送のテレビ番組「ワールドレコーズ」の中で、「フラッシュ暗算の笹野さんに匹敵するスゴ技の持ち主が現る！」「２画面フラッシュ暗算」として「フラッシュ暗算」が取り上げられ（甲第１３号証）、同様に、平成１６年９月５日放送の「ワールドレコーズ」の中で「フラッシュ暗算」が取り上げられた（甲第１４号証）。なお、甲第１号証及び同第２号証のＤＶＤにおいても、テレビ番組の中で、番組主催のフラッシュ暗算全国大会など、「フラッシュ暗算」が取り上げられたことが確認できる。
　オ　平成５年度のプログラム著作物登録一覧（甲第５号証）によれば、「宮本裕史」を申請者とする「あんざん力開発システム」が「Ｐ第３６８５号−１」として著作権登録されたことが認められる。そして、当該ソフトには「コンピュータ暗算」に相当するものが含まれるとされている（甲第６号証）。
　また、そろばんや暗算に関するコンピユータソフトが、本件商標の登録以前から、請求人及び被請求人をはじめとして複数の事業者によって取り扱われている（甲第７号証、甲第１０号証、甲第４２号証ないし同第４４号証、甲第４８号証）。
（３）以上からすれば、珠算の関連分野において「フラッシュ暗算」の語は、本件商標の登録時はもとより本件商標の出願時においてすでに、「スクリーン上あるいはコンピュータの表示画面に短い間隔で次々に映し出される数字を合計して答える暗算方法」を表す語として珠算関係の競技大会などにおいて頻繁に使用され、少なくとも珠算に関係する者の間に前記の暗算方法の名称として定着し、また、新聞報道やテレビ番組を通して、一般にも知られるに至っていたと優に推認することができる。
　なお、ちなみに、パーソナルコンピュータのモニターであるスクリーン画面上に数字を瞬時に表示して計算する暗算方法を「コンピュータ暗算」「コンピュータあんざん」と表示している例（甲第７号証、乙第１号証）が見受けられるが、「フラッシュ暗算」がこの「コンピュータ暗算」と同義のものとして称されるようになった経緯（甲第６号証）もあり、「コンピュータ暗算」の語の使用例があることによって、「フラッシュ暗算」に対する暗算方法の名称としての認識の定着が阻まれることになるとまでいうことはできない。
（４）してみると、「フラッシュ暗算」の語義から直ちに特定の商品の品質や役務の質と具体的に結びついた意味合いを想起し得ないとしても、本件商標に係る指定商品及び指定役務中の「そろばんの教授」、「珠算競技会の企画・運営又は開催」、「暗算に関するコンピュータプログラム」及び「暗算に関する携帯用液晶画面ゲームおもちゃ用のプログラムを記憶させた電子回路及びＣＤ−ＲＯＭ」については、珠算や暗算との関連性が極めて高いものというべきであるから、本件商標をその指定商品及び指定役務中の上記商品及び役務について使用した場合には、前記（２）及び（３）の実情からすれば、その需要者は前記暗算の出題方法を表すものとして認識するに止まり、これを自他商品や自他役務の識別標識としては認識し得ないというのが相当である。
　したがって、本件商標は、前記商品及び役務について、需要者が何人かの業務に係る商品又は役務であることを認識することができない商標に該当するものであるから、商標法第３条第１項第６号に違反して登録されたものというべきである。
　しかし、前記以外の指定商品及び指定役務についてみると、前記（２）の実情をもって、本件商標は、自他商品又は自他役務の識別標識としての機能を果たし得ないものとは言い難いから、商標法第３条第１項第６号には該当しないといわざるを得ない。
２　商標法第３条第１項第３号及び同法第４条第１項第１６号該当について
（１）被請求人は、本条項に係る本件審判の請求が、先の無効審判の審決が確定し登録されていることから、実質的に一事不再理に該当する旨主張している。
　しかし、先の無効審判において摘示された事実と本件において主張された事実との間では、一部重複するものがあるけれども、同一のものとはいえず、また、先の無効審判において提出された証拠と本件において提出された証拠とは、数量的にみれば明らかに相違し、また実質的にみても相違しており、本条項に係る本件審判の請求は、先の無効審判と同一の事実及び同一の証拠に基づく審判の請求に該当するものということはできない。
　そこで、本案に入り審理し、以下のとおり判断する。
（２）本件商標は、「フラッシュ暗算」の文字を普通に用いられる書体をもって表してなるものであるところ、「フラッシュ」の語は、「（ａ）閃光。（ｂ）映画・テレビでごく短い場面」等を表すものであり、「暗算」は「筆算や珠算によらず、頭の中で計算すること」を表す語である。
　しかして、上記各語の意味合いからみれば、「フラッシュ」は、数字や暗算等との関連性が希薄であることもあり、これと「暗算」とを結合した「フラッシュ暗算」の文字は、その語義上の観点からみた場合には、特定の意味合いを表すことのない一種の造語として看取されるとみるのが相当であって、これを本件商標に係る指定商品及び指定役務について使用しても、特定の
商品の品質や役務の質を表示するものとして認識されるものとはいえない。　また、提出された証拠によれば、前記１（２）の事実が認められるけれども、その指定商品及び指定役務のいずれについても、取引上商品の品質や役務の質等を表示するものとして、普通に使用されている事実はみいだせない。
　してみれば、本件商標は、特定の商品の品質や役務の質等を具体的に表示するものとして直ちに理解され認識されるとはいえないものであり、また、その指定商品及び指定役務中のいずれの商品及び役務に使用しても、商品の品質、役務の質について誤認を生じさせるおそれはないものといわなければならない。
　したがって、本件商標は、商標法第３条第１項第３号及び同法第４条第１項第１６号に違反して登録されたものということはできない。
３　商標法第４条第１項第７号該当について
　本件商標を構成する「フラッシュ暗算」の文字が構成自体において、公序良俗を害するおそれがある商標に当たらないことは明らかであり、また、請求人の主張及び提出した証拠を総合してみても、本件商標の登録後において、本件商標が商標法第４条第１項第７号にいう公序良俗を害するおそれがある商標となったとすべき格別の理由や事情をみいだすことはできない。
　請求人がいう「フラッシュ暗算」に係る名称等に変更の必要性が生じたこと等は、本件商標の商標登録そのものに関わりを持つものではあるとしても、本件商標の登録前とは異なった社会状況や国際情勢の変化、新たな法令や条約に基づく規制等に伴い当該登録商標が公益に反するものとなるに至ったような場合などと同列に論ずることはできないというべきである。
　したがって、本件商標は、商標法第４６条第１項第５号にいう商標登録がなされた後において同法第４条第１項第７号に掲げる商標に該当するものとなっているということはできない。
４　まとめ
　以上のとおり、本件商標は、その指定商品及び指定役務中「そろばんの教授」、「珠算競技会の企画・運営又は開催」、「暗算に関するコンピュータプログラム」及び「暗算に関する携帯用液晶画面ゲームおもちゃ用のプログラムを記憶させた電子回路及びＣＤ−ＲＯＭ」について、商標法第３条第１項第６号に違反して登録されたものであるから、同法第４６条第１項により、その登録を無効とすべきものである。
　しかし、その余の指定商品及び指定役務については、上記のとおり、本件商標が本件審判請求の事由には該当せず、同法第４６条によってその登録を無効とすることはできない。
　よって、結論のとおり審決する。